(57)【要約】【課題】建造物の屋上などの緑化において、確実な防根性に加え、軽量で優れた防水性および断熱性を有し、安価に製造かつ施工できる防根パネルシステムを提供する。【解決手段】  防根パネル１は、ポリスチレンフォーム断熱板などに代表されるパネルに排水溝１ａと、連結溝１ｂまたは嵌合溝１ｃを設けることによって形成される。該防根パネルを水平方向に連結したものを屋根４に敷設し、該防根パネル上に植栽基盤層５および植物を敷設することによって屋上緑化構造が形成される。【選択図】図７
2008307049.tif 000002
【特許請求の範囲】
【請求項１】
建造物の屋上などを緑化する際に、植物の根から防水機能や躯体を保護することを目的とし、複数枚の防根性のあるパネルを平面方向に任意の枚数だけ連結することができ、パネル同士を連結した際の連結部断面の境界面が、重力に対して下方向および上方向に向かう境界部を有することを特徴とする防根パネルシステム。
【請求項２】
前記パネルがパネル上面もしくは下面の周縁部に連結溝を有しており、連結具の両側の屈曲部がパネルの連結溝に嵌合することにより、パネルを連結することができ、連結部断面の境界線が、重力に対して下方向および上方向に向かう境界部を有することを特徴とする請求項１記載の防根パネルシステム。
【請求項３】
前記パネルがパネル端部に嵌合構造を有しており、パネル同士を嵌合することができ、パネル同士を嵌合した際の嵌合部断面の境界線が、重力に対して下方向および上方向に向かう境界部を有することを特徴とする請求項１記載の防根パネルシステム。
【請求項４】
前記パネルが独立気泡を有する断熱板であることを特徴とする請求項１乃至請求項３のいずれか１項に記載の防根パネルシステム。
【請求項５】
前記パネルの下面に排水溝を有することを特徴とする請求項１乃至請求項４のいずれか１項に記載の防根パネルシステム。
【請求項６】
防水構造を有した躯体屋根上に前記パネルを連結して敷設し、その上に植栽基盤層を設け、更にその上に植物を固着せしめて用いることを特徴とする請求項１乃至請求項５のいずれか１項に記載の防根パネルシステム。
【発明の詳細な説明】
【技術分野】
【０００１】
本発明は、建造物の屋上などを緑化する際、植物の根から防水層や躯体を保護するための防根パネルシステムに関する。
【背景技術】
【０００２】
建造物の屋根などは、日中、直射日光に長時間晒されているため、高温になり易い。特に、日射時間の長い夏場においては、屋根の表面から吸収された熱が建造物内に伝わって室温を上昇させ、また、屋根面から建造物に移行した熱による蓄熱のため、空調効率の低下を招いている。従来、こうした熱射に対する有効な方法として、屋根にポリエチレンフォームやポリスチレンフォームなどの断熱板を張り、その上にシンダーコンクリートや押さえブロックなどの押さえ層を設けることによって外部よりの熱を遮断する方法が一般的であった。しかしながら、本方法では断熱板の熱貫流抵抗により熱移動を抑制するに留まり、積極的に屋根面を冷却することはできない。また、押さえ層は夏期には６５℃にも達し、断熱板を通して漏れ伝わった熱は、建造物躯体に蓄積され、夜間や曇天などの日射が無いときでも建造物内部に熱が徐々に伝わり、根本的な空調機の省エネルギー対策や居住性の向上策としては限界的であり、また、高温となった押さえ層からの顕熱放射により、ヒートアイランド化を助長するなどの問題があった。このような課題に対処するべく、屋根上に植物を植えるいわゆる屋上緑化が普及しつつある。屋上緑化に関しては、植物葉面よりの水の蒸散や土壌面からの水の蒸散に伴う気化熱によって熱を除去せしめるいわゆる除熱効果を併せ持っており、植物の気孔等より水蒸散を行い、気化熱によって積極的に冷却を行うことで、３５℃前後迄に屋根面の温度低下を実現するものである。いわば、動物が発汗作用により体温維持を図るに似た除熱機構を利用したものといえる。従って、ヒートアイランド対策としても非常に有効である。
【０００３】
しかしながら、屋上緑化においては、成長した植物の根がシート状の防水層の重ね合わせ部や目地防水部分や建造物の僅かな隙間や亀裂に入り込むことによって防水機能（例えば、シート防水、アスファルト防水、塗膜防水、目地防水など）の劣化・低下を招き、建造物に亀裂が発生・進展し、雨漏りなどの被害に至る例が多々報告されている。従って、植物の根を防水層および建造物に到達せしめない、いわゆる防根を目的として、建造物と植物の間に防根層を設けることが必要不可欠である。防根層については、一般的には厚さ１ｍｍ以下の樹脂製シートやゴム製シートがよく用いられている。例えば、特許文献１には「被土屋根構造」という名称で、屋上に断熱板を敷き詰め、該断熱板の上面に防根性を有するシート防水を形成せしめ、断熱効果を向上させつつ保水および防根を可能とする被土屋根構造に関する発明が開示されている。
【０００４】
【特許文献１】特開Ｈ１１−３３２３７３
【発明の開示】
【発明が解決しようとする課題】
【０００５】
しかしながら、上記の特許文献に示されたようなシートを敷設する際、複数のシートを重ね合わせた部分より根が侵入するために、シートの重ねしろを多く取るか、重ね合わせた部分を接着する必要がある。また、シートが薄いため施工時のトラブルなどによってシートに穴や破れが生じることは、多くの施工現場で確認され、従って、防根機能が果たせないことも多い。また、当然のことながら、防根シートの施用は材料および工事費の上昇や工期の延長をもたらしている。更に、防根層の工事は風の強いときは勿論、雨天時にもシートにしわが入りやすいため施工が難しく、しわの入った状態では防根シートの防根性能が極端に低下するなどの問題もある。
【０００６】
発明者らは永年の芝等の植物管理方法や新品種開発など、植物生理学に関する専門的業務を行う過程で、屋上緑化に用いられる芝等の多くの草本類においては、根は０．２ｍｍの隙間があれば伸長するが、下方向（則ち、重力の働く方向）または水平方向に伸びることはあっても上方向（則ち、重力の働く方向とは逆向きの方向）に伸びることは難しいことを見出した。本現象は植物根の「重力屈性」といわれる現象で、草本類においては一般に広く認識されている挙動であり、芝など屋上緑化に用いられる植物では特に顕著であることを実験により確認している。本発明はかかる従来の事情および発見に対処してなされたものであり、確実な防根性に加え、軽量で優れた防水性および断熱性を有し、安価に製造かつ施工できる防根パネルシステムを提供することを目的とする。
【課題を解決するための手段】
【０００７】
上記目的を達成するために、請求項１記載の防根パネルシステムは、建造物の屋上などを緑化する際に、植物の根から防水機能や躯体を保護することを目的とし、複数枚の防根性のあるパネルを平面方向に任意の枚数だけ連結することができ、パネル同士を連結した際の連結部断面の境界面が、重力に対して下方向および上方向に向かう境界部を有することを特徴とするものである。
【０００８】
請求項２記載の防根パネルシステムは、請求項１記載の防根パネルシステムにおいて、前記パネルがパネル上面もしくは下面の周縁部に連結溝を有しており、連結具の両側の屈曲部がパネルの連結溝に嵌合することにより、パネルを連結することができ、連結部断面の境界線が、重力に対して下方向および上方向に向かう境界部を有することを特徴とするものである。
【０００９】
請求項３記載の防根パネルシステムは、請求項１に記載の防根パネルシステムにおいて、前記パネルがパネル端部に嵌合構造を有しており、パネル同士を嵌合することができ、パネル同士を嵌合した際の嵌合部断面の境界線が、重力に対して下方向および上方向に向かう境界部を有することを特徴とするものである。
【００１０】
請求項４記載の防根パネルシステムは、請求項１乃至請求項３のいずれか１項に記載の防根パネルシステムにおいて、前記パネルが独立気泡を有する断熱板であることを特徴とするものである。
【００１１】
請求項５記載の防根パネルシステムは、請求項１乃至請求項４のいずれか１項に記載の防根パネルシステムにおいて、前記パネルの下面に排水溝を有することを特徴とするものである。
【００１２】
請求項６記載の防根パネルシステムは、請求項１乃至請求項５のいずれか１項に記載の防根パネルシステムにおいて、防水構造を有した躯体屋根上に前記パネルを連結して敷設し、その上に植栽基盤層を設け、更にその上に植物を固着せしめて用いることを特徴とするものである。
【発明の効果】
【００１３】
以上の通り、本発明の請求項１記載の防根パネルシステムにおいては、確実な防根性を有し、多雨時におけるパネル上表面排水機能による屋根防水機能および躯体への静水圧負担の大幅軽減、施工性の向上を果たし、且つ、安価に製造・施工できる防根パネルシステムを得ることが可能である。
【００１４】
本発明の請求項２、または、請求項３記載の防根パネルシステムによれば、従来の防根シートによる方法に比して、接合部の防根性を大幅に高めることができる。また、屋根勾配に沿った防根パネルシステム上流より下流へのパネル上表面排水機能を付与することができ、パネル上の貯留水に起因する植物の水分過多による枯死や建造物内への漏水事故などを防ぐことができる。
【００１５】
本発明の請求項４記載の防根パネルシステムによれば、防根パネルシステムに防水機能、パネル上表面排水機能を付与させ、施工も簡単になり、さらに従来の一般的な屋上緑化において夏以外の季節での省エネルギー、居住性改善効果が低いという問題点を、防根シートを用いることなくコストを抑えつつ、一挙に解決せしめることが可能である。
【００１６】
本発明の請求項５記載の防根パネルシステムによれば、僅かな縦目をつたって滴下した水や屋根勾配の上流の縁石部などより浸入した水を排出することにより、一層の躯体防水面への水負担を軽減することができる。
【００１７】
本発明の請求項６記載の防根パネルシステムによれば、従来の屋上緑化のように別途に防根層を施工する必要はなくなり、コストを抑えつつ、施工の容易性、工期短縮を実現し、防根層破損のリスクがない工法を実現することが可能である。更に、パネルに独立気泡を有する断熱板を用いることにより、周年にわたり大幅な省エネルギー、居住性向上、建物・防水層の保護に有効な方法を提供することができる。
【発明を実施するための最良の形態】
【００１８】
本発明の最良の実施の形態に係る防根パネルシステムの実施例について説明する。なお、本発明は実施例に示す形態に限定されるものではない。
【実施例１】
【００１９】
実施例１の防根パネルシステムについて図１乃至図４、および図１１を用いて説明する。
【００２０】
図１（ａ）に本発明の実施の形態に係る屋上緑化用防根パネルを示す。本発明による防根パネル１に関しては、断熱板であるパネル上面に連結溝１ｂを、また、パネル下面に排水溝１ａを設けたものである。断熱板の材質としては、独立気泡を有するガラス発泡板、セラミック発泡板、ＡＬＣ板、などの無機断熱板、発泡ポリエチレン、発泡ポリプロピレン、発泡ポリウレタン、発泡ユリア樹脂、発泡合成ゴム、発泡ポリ塩化ビニル、発泡ポリフェノール、発泡ポリスチレンなどやこれらに充填材、補強材などを混入した樹脂断熱板などが挙げられる。また、発泡形態に関してはビーズ発泡、反応型発泡、曝気型発泡などがあるが、防根、防水、断熱機能などの点を考慮すると、独立気泡を有するものが望ましい。ポリスチレンの独立気泡体は押し出し成形、ビーズ法型内成形のいずれかによって得られるが、押し出し成形の場合一般に剛性が高く、特に表皮が形成されたものは表面が平滑で曲げ強度も強く、平坦な面への施工に適している。一方、ビーズ法ポリスチレン独立気泡発泡体は、高密度から低密度迄選択巾が広く、また、本発明の嵌合構造や下面の排水溝構造を成形時に形成でき、更に、弾力性、可撓性にも富み、施工面の部分的な凹凸にもなじみ易い特徴を有している。ウレタン樹脂独立気泡発泡体は、原材料選択や配合、加工条件により、広汎な特性の選択が可能で、板状体、型内成形体いずれの形でも利用可能である。ポリエチレンやポリプロピレン等のポリオレフィン樹脂独立気泡発泡体は可撓性や耐衝撃性、弾力性に優れており、押し出し成形体ビーズ法型内成形体いずれの形でも利用できる。本発明では防根パネル１の上層に植栽基盤及び芝等の地被植物、草本類が存在し、遮光されることから、上記の有機断熱板を用いても光劣化の心配もなく有効な資材である。パネルは周縁部の連結溝１ｂ加工、嵌合部の加工、パネル周縁加工部の取扱上の強度確保、嵌合部の重力に対し上方工に向いた面の深さの確保、などの観点から、パネルの材質にも因るが厚みは概ね７ｍｍ以上は必要である。
【００２１】
連結溝１ｂおよび排水溝１ａは、押出し成形加工、切削加工、エンボス加工、加熱成形加工、型内発泡成形などの加工方法によって得ることができる。連結溝１ｂおよび排水溝１ａについては、防根パネル１を陸屋根などの屋根勾配に沿って平たく敷き詰めた際に、連続した面となるように設置されている。連結溝１ｂについては、連結溝１ｂに対して嵌合することのできる図１（ｂ）および図１（ｃ）に示すような連結具の平面両端に下方への屈曲部を有する連結具（コの字形連結具２ａ、および切り欠きを有するコの字形連結具２ｂ）を用い、図１（ｄ）の如く水平方向に任意の枚数だけ防根パネル１を連結せしめることが可能である。連結溝１ｂは、事前に成形せずに、施工時に図２（ｋ）に例示するような鋭利な屈曲部を有するコの字形連結具２ａもしくは切り欠きを有するコの字形連結具２ｂをパネルに押し込むことによって形成せしめることも可能であるが、防根パネル１の割れを防ぎ、且つ、確実な嵌合を実現するためにも防根パネル１敷設前にパネルに連結溝１ｂを形成しておく方が望ましい。
【００２２】
連結具の形状に関しては、図１（ｂ）に示すような概ねコの字形の断面を有する連結具２ａが最も簡単な構造である。このとき、図１（ｄ）の連結具が交差する部分１ｄにおいて、一方向の連結具の端部に図１（ｃ）の如く切り欠きを設けることによって、図１（ｄ）の連結具が交差する部分１ｄの防根性およびパネル上表面排水性を確保し、且つ、躯体防水面と客観的に隔離し、多雨時に植栽基盤層に充満した水の静水圧が従来法で用いる防根シート、ひいては躯体防水面にかからないようにすることができる。この他にも、連結具に関しては、水平方向に並設した防根パネル１の連結溝１ｂに対して嵌合することのできる屈曲部を有していればどのような形状でもよく、図２（ａ）〜（ｌ）に例示するような断面形状を有するものを用いても良い。他にも、ω形やΣ形の断面形状を有するものや、これらの形状を組み合わせたものも用いることができるが、連結溝に嵌合が確実に成されなかったり、徒に連結具の製造コストが上昇するといった理由から好ましくない。連結具の長さに関しては特に規定はないが、あまり長すぎると防根パネルを敷設する面の若干の凹凸を吸収することが難しくなる。また、短すぎると連結作業が煩雑になる。従って、防根パネルの定尺寸法（通常は９１０ｍｍ×１８２０ｍｍ、若しくは９１０ｍｍ×９１０ｍｍであることが多い）に合わせることが好ましい。また、連結具２長尺方向の任意の位置において、同一断面を有する方が製造コスト上好ましい。加えて、図１１に示すように、連結具の屈曲部２ｃにツメ状のカエリ２ｄを設けることにより、施工時の固定性をよくすることができ、更に、施工時の耐風性向上、防根パネル間のズレ防止といった効果も得ることができる。連結具２に関してはプラスチック、金属、セラミック等の材質のものを用いることができるが、重量、耐食性、耐水性、強度、加工性およびコストなどを考慮するとポリ塩化ビニル、ポリプロピレン、ポリエチレンなどの樹脂製であることが望ましい。発泡ポリスチレンの場合は浸出性のある低分子可塑剤は好ましくなく、軟質ポリ塩化ビニルを用いる場合は、浸出性のない高分子可塑剤を用いるのが良い。硬質ポリ塩化ビニルも施工性、保形成が高く、良い素材である。
【００２３】
前記防根パネル１と連結具２よりなる本発明の防根パネルシステムに関しては、防根パネル１の下面に接する建造物の防水層または躯体を、上面に設置する植栽基盤層中の水より縁切りする機能も有しており、防水層に直接静水圧がかからないため建造物内への雨漏りなどの漏水事故を軽減することができる。また、緑化面の縁端部より浸入する水や、連結されたボードの隙間から僅かに防水層面に漏れ出た水も、パネル下面の排水溝により常に排出される。図１の排水溝１ａについては屋根勾配に沿った方向に設置することにより、屋根面上に堆積した貯留水を直ちに排出せしめることが可能である。多雨時であっても大部分の水は防根パネル１表面および防根パネル上面に存在する植物表面を流れ去るため、空間的に躯体防水面とは隔離された構造となり、従来の防根シートのように植裁基盤中に保持された水による躯体表面への長時間の静水圧による漏水事故の心配はないが、僅かな継目をつたって滴下した水や屋根勾配の上流の縁石部などより浸入した水を排出することにより、一層の躯体防水面への水による負担を軽減することができる。連結溝１ｂおよび排水溝１ａに関しては防根パネル１の上面、下面のいずれに設置しても良いが、排水溝１ａに関しては前述の理由により下面にある方が望ましい。排水溝１ａの形状については図１のような矩形の他にも様々な形状のものを用いることができる。また、屋根勾配に沿って排水できる構造であれば溝状でなくともよい。排水溝に関する種々の実施形態の例を図３（ａ）〜（ｄ）に示す。
【００２４】
植物の根の生長方向を決定する主要因の一つとして重力屈性が挙げられる。根の重力屈性は根の生長方向を規定する法則であり、主としてオーキシンとアブシジン酸の植物ホルモンの偏在に起因すると一般的に言われている。すなわち、根は重力に対して下方向（則ち、重力の働く方向）および水平方向には伸長するが、上方向（則ち、重力の働く方向とは逆向きの方向）への生長は抑制されることを意味する。重力屈性に関するメカニズムはコロドニーとウエントの説をはじめとして諸説が報告されており、またこれらが複雑に絡み合っているとも言われ、未だ解明されていない部分も多い。しかしながら、上方向に植物根は生長しにくいという事実は一般に広く確認されている。発明者らは、後述する実施例５においても示されるように、芝をはじめとした草本類の根において重力屈性は極めて顕著に現れることを見出した。本発明は該植物生理学的性質を踏まえたものである。すなわち、図４に示す通り、連結溝１ｂに装着された連結具２の屈曲部２ｃは、自ずとパネル表面から下方向に向かい、ついで上方向に向かう境界面、換言すれば微小な隙間を形成する。植物根３が連結溝１ｂの隙間に浸入した場合、植物根３はまず下方向に成長する。植物根３が連結溝１ｂの底部に達し、横方向に浸入すると、連結溝１ｂの隙間は上方向へ向かう。しかしながら、植物根は上方向に伸びにくいという性質のために、根の成長は止まってしまう。以上のように、本発明を用いることによって、防根パネル境界部断面において連結構造内に上方向へ向かう境界線を作ることで草本類の根の伸長を完全に止め、確実で強固な防根機能を付与するができる。従って、従来方法のように防根シートの敷設や防根シート同士の接着作業を必要としない。加えて、連結溝１ｂはパネルの連結部をシールする形となり、防根パネル１上の貯留水を屋根勾配の下流方向に排出せしめる効果を有している。従って、植物の水分過多による枯死を防ぐことができる。更に、多雨時に土壌が水で満たされた際、防根シートでは、静水圧は当然重ね合わせ部を経て常に防水機能部にかかることとなり、漏水につながりやすいと言う問題があるが、本発明に因れば、建造物内への漏水事故などが起こる危険性などを防ぐことができる。本効果に関しては、図２（ａ）〜（ｌ）に例示するいずれの連結具を用いても得ることが可能である。但し、木本類の場合には根冠が障害物に当たったときや根が枝分れするときには一旦上方向に向かうこともあり、樹種にもよるが重力屈性は必ずしも完全に適用されるとは言えない。本発明は主として芝などの草本類に関して適用することが望ましい。しかしながら、曲げ強度の強い非発泡パネルや低発泡パネルを用い、嵌合部の嵌合精度、嵌合深さ、および嵌合強度を向上させることにより、樹木などに対する防根性能を向上させることができ、これらの選択により、緑化植物全般への適用が可能となる。
【実施例２】
【００２５】
実施例２の防根パネルシステムについて図５を用いて説明する。
【００２６】
図５（ａ）に本発明の請求項３記載の防根パネルシステムの実施の形態に係る屋上緑化用防根パネル１を示す。嵌合部断面の境界線、換言すれば微小な隙間が重力に対して上方向になるような隙間に関しては本図に示すような防根パネル自体の嵌合構造によっても得ることができる。本防根パネル１を嵌合溝１ｃで組み合わせることによって図５（ｂ）のように連結され、接合部においては図５（ｃ）に示すように植物根３の成長を嵌合部１ｅの途中で抑制せしめることができる。すなわち、図５（ｃ）に示す通り、嵌合部１ｅ断面において、自ずとパネル表面から下方向に向かい、ついで上方向に向かう境界線を形成する。植物根３が嵌合部１ｅの隙間に浸入した場合、植物根３はまず下方向に成長する。植物根３が嵌合部１ｅの底部に達し、横方向に浸入すると、嵌合部１ｅの隙間は上方向へ向かう。しかしながら、植物根は上方向に伸びにくいという性質のために、根の成長は止まってしまう。以上のように、本発明を用いることによって、防根パネル境界部断面において連結構造内に上方向へ向かう境界線を作ることで草本類の根の伸長を完全に止め、確実で強固な防根機能を付与するができる。従って、防根シートの敷設や防根シート同士の接着作業を必要としない。加えて、嵌合部１ｅは防根パネル１上の貯留水を程良く下方向に排出せしめる効果を有している。従って、植物の水分過多による枯死や建造物内への漏水事故などを防ぐことができる。嵌合の形状に関しては様々な形態が考えられるが、図５（ａ）に示すような溝同士の嵌合構造であれば切削加工や型内成型加工などで容易に作成することができる。長尺方向両端部に本発明による嵌合構造を有した厚さが５ｍｍ〜５０ｍｍ程度の軟質発泡断熱シートでは、長尺物をロール状またはつづら折り状にして出荷、運搬し、施工時に端部を嵌合していくことで、目地部を少なくし、施工性を高めることができる。ポリオレフィン樹脂は、弾力性に優れていることから、施工時に嵌合部を圧入して密着性の高い嵌合構造とすることもできる。また、可撓性が高いため、曲面への施用もし易い特徴を有する。このように、本発明の実施態様は適用する建造物面の状況により、幅広い対応が可能である。
【実施例３】
【００２７】
実施例３の防根パネルシステムについて図６を用いて説明する。
【００２８】
図６に連結具と嵌合構造を併用した連結方法を示す。本実施例によれば、防根パネル１をパネル同士の嵌合構造により連結し、これらよりできる２列の防根パネル間を長尺の軟質連結具で連結することで、施工が簡単になる利点がある。
【実施例４】
【００２９】
実施例４の防根パネルシステムについて図７を用いて説明する。
【００３０】
図７は本発明を用いた場合の屋上緑化構造の外観図である。本発明に関わる防根パネル１を建造物の屋上４（防水躯体）の上に敷設し、防根パネル１の上に植物６を植え込んだ植栽基盤層５を敷設した構造となっている。植栽基盤層５には軽量土壌の他、椰子殻や樹皮マットなどの植栽基盤マットを敷設することもできる。植物６には草本類であれば種類を問わないが、夏場の日射による熱の除去などを考慮した場合、水蒸散効果の高い植物であることが望ましい。冬場には植物の活性は低下するため、植物からの水の蒸散は殆ど起こらないが、保温性を考えると植栽基盤層５面に対する被覆率の高い植物であることが望ましい。これらに該当する植物として芝などが挙げられる。
【００３１】
植栽基盤層５については、防根パネル１上に直接軽量土壌等の植栽基盤を均して芝などの植物６を植え込む方法でも良いが、施工性を考慮すると、あらかじめボード状に成形された植栽基盤を敷き並べ、その上に芝等の植物６を設ける方が望ましい。また、ボード状の植栽基盤を用いる場合においては、植裁基盤面にあらかじめ芝などの植物を固着せしめたものを敷き並べたり、植裁基盤面に一定間隔で凹部を設け、植物の苗や種子を埋め込むこともできる。また、ボード成形の際に種子をボード内に埋め込んだり織り込むこともできる。
【００３２】
通常、屋根４の外断熱を行う際、屋上防水スラブ上に断熱板を敷き詰めるが、樹脂断熱板に関しては耐候性に劣り、更には強風などにより容易に飛散してしまうため、断熱板上部より押さえコンクリートやレンガ、ブロックなどで覆う必要がある。しかしながら、いずれの方法においても最外部には熱容量の高いセラミックやコンクリート、レンガ、ブロック面が露出してしまうため、日射の強い夏場においておよそ６５℃にも達し、躯体、室内への熱流入量も増加し顕熱放射も増加し、ヒートアイランド現象を助長し、また、押さえ層の高温化は断熱板の材質によっては劣化を招くこともあり、更には、昼間に太陽の熱を蓄積し、夜間において建造物内に熱を伝えてしまうという問題があった。本発明による工法によれば、断熱板および植物によって断熱効果および除熱効果が向上しており、さらに最外部の植物は熱を蓄積しにくく、植物によっては熱を除去する機能を有し、熱反射率も比較的高くなるため冷却効果が発揮されることとなる。従って、太陽熱による膨張・収縮のひずみに起因する屋上コンクリートスラブや防水層の損傷を防ぎ、さらには建造物の寿命向上に寄与することができる。
【００３３】
また、一般の屋上緑化と比した場合には、断熱板に防根性を付与しこれを用いて屋上断熱緑化を行えば、断熱効果を大幅に向上せしめることができ、暑期のみでなく、寒期にも省エネルギー、ヒートアイランド防止、居住性向上、建造物・防水機能保護の目的を効果的に果たすことができる。さらに、防水性と排水性を付与しているため、防水シート敷設やそれらの接着作業の必要がないため、施工方法の簡素化、工事時の防水層破損リスク削減、省作業コストに寄与するものである。不陸が激しい屋上面に施用する場合、予め成形加工時に断熱板の上面または下面または両面に防根性を有する高密度の織布、不織布、プラスチックフィルムシート等を積層しておいて、長期間の使用時に割れが生じないようにするか、万一割れが生じた場合においても、防根性が保証できるようにしておくこともできる。
【実施例５】
【００３４】
実施例５の防根パネルシステムについて図８、図９および図１０を用いて説明する。
【００３５】
図８は防根試験の概略図である。図８（ａ）に関しては、本発明を適用した屋上緑化工法で、透明アクリル板（厚さ３０ｍｍ）の端部より１０ｍｍの平面上に幅１．２ｍｍ、深さ１０ｍｍの連結溝を形成して作成した防根パネル７の２枚をコの字形の硬質ポリ塩化ビニル製（黒色不透明）の連結具８（板厚１ｍｍ、コの字に折り曲げた端部の長さがそれぞれ７ｍｍ、コの字に折り曲げた中央部の長さが２４ｍｍ）で嵌合・連結せしめ、連結された前記防根パネル７上に富栄養化土壌９（真珠岩パーライト５０ｖｏｌ％、珪藻土焼成粒２０ｖｏｌ％、ピートモス１５ｖｏｌ％、バーク堆肥１０ｖｏｌ％、フミン酸５ｖｏｌ％、セントラル硝子株式会社製肥料（商品名：グリーンマップ２、登録商標）１５０ｇ／１００Ｌ、発酵魚粉肥料１００ｇ／１００Ｌ）を厚さ５０ｍｍ敷き、富栄養化土壌９にコウライ芝１０を植栽したものである。一方、８（ｂ）に関しては、一般的な屋上緑化工法で、透明なアクリル板１１（厚さ３０ｍｍ）の上に防根シート１２（黒色不透明、ポリエチレン製）２枚を重ねしろ１５０ｍｍで重ね合わせ、防根シート１２上に富栄養化土壌９（厚さ５０ｍｍ）を敷き、富栄養化土壌９にコウライ芝１０を植栽したものである。また、図９（ａ）および図９（ｂ）はそれぞれ図８（ａ）および図８（ｂ）を屋外圃場上に３年間生長せしめたものにおいて、アクリル板の下面から根および匍匐茎の伸長状態を観察し、根および匍匐茎の一部（根および匍匐茎は無数に存在するため、根の浸入に関わるアクリル板状に接したもののみ）を線図として示したものである。なお、通常コウライ芝の匍匐茎および根に関しては、図１０の地下断面図に示す通り、水平方向に匍匐茎が拡がり、匍匐茎の節部分から根が重力方向へ伸長している。芝に起因する漏水事故に関しては匍匐茎および根の防水層への浸入に因るものが殆どである。図９（ｂ）に示す通り、防根シート１２を重ねたものに関しては根および匍匐茎が防根シート１２の重ね合わせた部分から簡単にアクリル板１１に浸入していることが観察された。つまり、根の伸長に関する重力屈性の法則からも容易に推測されると共に匍匐茎の浸入しやすい構造でもあることが示されている。一方、図９（ａ）に示す通り、本発明を適用したものに関しては、根は連結具８において完全に伸長を止めており、更に、匍匐茎の連結溝部への浸入は予期通り全く観察されなかった。以上の通り、本発明による根、匍匐茎の浸入を防止する性能が極めて高いことが示されている。
【産業上の利用可能性】
【００３６】
以上説明した通り、請求項１乃至請求項６に記載された発明は四季にわたって、建造物の除熱性（表面冷却）および断熱性を高め、熱の蓄積を押さえ、また、建造物の寿命延長に繋がるものである。従って、建造物内の空調に関わる省エネルギー対策や都市のヒートアイランド対策に対して経済的且つ極めて有効な方法となる。また、建造物を保護し耐用年数を延ばすことにより省エネルギー・省資源に寄与することが可能である。
【図面の簡単な説明】
【００３７】
【図１】（ａ）は本発明の実施の形態に係る防根パネルの実施例１の斜視図、（ｂ）は連結具の斜視図、（ｃ）は連結具を用いて防根パネルを連結した際の外観図である。
【図２】（ａ）〜（ｉ）は本発明の実施の形態に係る防根パネルの実施例１の連結具に関する種々の実施形態の断面図である。
【図３】（ａ）〜（ｄ）は本発明の実施の形態に係る防根パネルの実施例１の排水溝に関する種々の実施形態の斜視図である。
【図４】本発明の実施の形態に係る防根パネルの実施例１の連結部における植物根の成長方向を示す概略断面図である。
【図５】（ａ）は本発明の実施の形態に係る防根パネルの実施例２の斜視図、（ｂ）は防根パネルを嵌合・連結した際の外観図、（ｃ）は連結部における植物根の成長方向を示す概略断面図である。
【図６】（ａ）は本発明の実施の形態に係る防根パネルの実施例３の斜視図、（ｂ）は連結具および嵌合によって防根パネルを連結した際の外観図である。
【図７】本発明の実施の形態に係る防根パネルおよびその工法の実施例４の斜視図である。
【図８】（ａ）は本発明の実施の形態に係る防根パネルの実施例５の断面図、（ｂ）は防根シートを用いた実施例５の断面図である。
【図９】（ａ）は本発明の実施の形態に係る防根パネルの実施例５の下から観察した際の根および匍匐茎の概略線図、（ｂ）は防根シートを用いた実施例５の下から観察した際の根および匍匐茎の概略線図である。
【図１０】コウライ芝の匍匐茎および根の地下断面図である。
【図１１】カエリを有する連結具を用いた防根パネルシステムの断面図である。
【符号の説明】
【００３８】
１…防根パネル  １ａ…排水溝  １ｂ…連結溝  １ｃ…嵌合溝  １ｄ…連結具が交差する部分  １ｅ…嵌合部  ２…連結具  ２ａ…コの字形連結具  ２ｂ…切り欠きのついたコの字形連結具  ２ｃ…屈曲部  ２ｄ…カエリ  ３…植物根  ４…屋根  ５…植栽基盤層  ６…植物  ７…防根パネル  ８…連結具  ９…富栄養化土壌  １０…コウライ芝  １１…アクリル板  １２…防根シート  １３…匍匐茎  １４…根
【図１】
2008307049.tif 000003
【図２】
2008307049.tif 000004
【図３】
2008307049.tif 000005
【図４】
2008307049.tif 000006
【図５】
2008307049.tif 000007
【図６】
2008307049.tif 000008
【図７】
2008307049.tif 000009
【図８】
2008307049.tif 000010
【図９】
2008307049.tif 000011
【図１０】
2008307049.tif 000012
【図１１】
2008307049.tif 000013